(57)【要約】      （修正有）【課題】迅速、円滑な歯科用矯正治療作業を行うことができると共に、矯正治療コストを低減することが可能であって、治療中の見栄えを良好にすることも可能な歯科用矯正材料を形成することができる歯科用矯正材料形成用陰型を提供する。【解決手段】棒状に形成された歯科矯正材料取り付け具に装着され、ペースト状の複合レジンを充填して固化させて使用される歯科用矯正材料形成用陰型１０ａであって、歯科用矯正材料取り付け具への取付部１２ａと、上記取付部の端部に連設された型本体部１４からなる。【選択図】図１
0003192509.tif 000002
【実用新案登録請求の範囲】
【請求項１】
棒状に形成された歯科矯正材料取り付け具に装着され、ペースト状の複合レジンを充填して固化させて使用される歯科用矯正材料形成用陰型であって、歯科用矯正材料取り付け具への取付部と、上記取付部の端部に連設された型本体部からなることを特徴とする歯科用矯正材料形成用陰型。
【請求項２】
上記歯科用矯正材料は平面円形状のリンガルボタンであって、型本体部内部に形成された型成型部は、略逆裁頭円錐形状の基部成型部と、上記基部成型部の下端部に連設された軸成型部と、上記軸成型部よりも径大であって上記基部成型部よりも径小に形成された小円盤状係止部成型部とを有することを特徴とする請求項１記載の歯科用矯正材料形成用陰型。
【請求項３】
上記型本体部は全体円筒状に形成されていることを特徴とする請求項２記載の歯科用矯正材料形成用陰型。
【請求項４】
上記歯科用矯正材料は平面方形状のブラケットであって、型本体部内部に形成された型成型部は、四方を閉塞して形成された側壁部と、側壁部の下端部において連設された底部と、側壁部の上端部において内方に向かって延設されたオーバーハング部と、底部の中央部において幅方向に沿って突設された突条部とを有することを特徴とする請求項１記載の歯科用矯正材料形成用陰型。
【請求項５】
上記型本体部は全体直方体形状に形成されていることを特徴とする請求項  ３記載の歯科用矯正材料形成用陰型。
【請求項６】
シリコン製であることを特徴とする請求項１記載の歯科用矯正材料形成用陰型。
【請求項７】
透明または青色のシリコンであることを特徴とする請求項５記載の歯科用矯正材料形成用陰型。
【考案の詳細な説明】
【技術分野】
【０００１】
本考案は、歯科用矯正材料形成用陰型に関する。
【背景技術】
【０００２】
従来より、歯科矯正治療にあたっては、各種の歯科用矯正材料が使用されている。例えば、平面丸型の「リンガルボタン」と称される歯科用矯正材料が用いられる。このリンガルボタンは金属製であって、直径１．０ｍｍ〜１．５ｍｍ、高さ寸法は１．５ｍｍ〜２．０ｍｍに形成され、歯の表面部に歯科用セメントを用いて複数個固定し、固定されたリンガルボタン間にゴム状の紐を引張力を持った状態で掛け回して歯の近遠心的移動、回転、臼歯部の交合等の改善を行う。
【０００３】
一方、平面方形状の「ブラケット」と称される歯科用矯正材料も用いられている。このような「ブラケット」は、上記「リンガルボタン」同様に金属製であって、歯科用セメントにより歯の表面側に複数固定され、固定されたブラケット間に形状記憶合金製のアーチワイヤーを掛け回して歯を連結するために使用される。
【０００４】
しかしながら、このような従来の歯科用矯正材料にあっては、金属製であったことから製造コストが嵩み、その結果、歯科用矯正治療費が高額となっていた。また、金属製の歯科用矯正材料を使用するために歯への固定にあたっては歯科用セメントを使用することから、実際の治療作業の中では、セメント粉に接着剤を滴下して混練することにより歯科用セメントを作成しなければならず、作業が煩雑であり、迅速、円滑な矯正治療ができない、という不具合があった。
【０００５】
また、従来の歯科用矯正材料にあっては金属製であったことから歯の色調とは異なり、治療中において歯科用矯正材料が目立ち審美性に欠け、見栄えが悪い、という欠点もあった。
さらに、「リンガルボタン」は１個約９０円、「ブラケット」は１個約８００円であって高価であることから、矯正治療コストが嵩み、患者に金銭的負担を強いる結果となっていた。
【０００６】
このような観点から出願人は特許文献の調査を行い下記の特許文献を抽出したが、本願考案とは課題及び効果も異なり、本件考案とは関係性がない文献である。
【特許文献１】特開平２−１７０５７号公報
【考案の開示】
【考案が解決しようとする課題】
【０００７】
本考案はこのような従来からの不具合を解決するためのものであって、その課題は、迅速、円滑な歯科用矯正治療作業を行うことができると共に、矯正治療コストを低減することが可能であって、治療中の見栄えを良好にすることも可能な歯科用矯正材料を形成することができる歯科用矯正材料形成用陰型を提供することにある。
【課題を解決するための手段】
【０００８】
上記課題達成のため、請求項１記載の考案にあっては、棒状に形成された歯科矯正材料取り付け具に装着され、ペースト状の複合レジンを充填して固化させて使用される歯科用矯正材料形成用陰型であって、歯科用矯正材料取り付け具への取付部と、上記取付部の端部に連設された型本体部からなることを特徴とする。
【０００９】
ここで「複合レジン」とは、歯の「う蝕部」（虫食い部）を除去した後に生じる歯の欠損を補填するために使用される可塑性の歯科用合成高分子化合物である。このような「複合レジン」は、７０％以上の無機強化材（セラミック及びガラス素材が混入され、「フィラー」と称される）及びレジン基質とからなり、粘土状のペーストタイプと流動性の高いフロータイプがある。いずれも青色の可視光線（波長４７０ｎｍ）を吸収することにより硬化し、歯面処理（エッチング、プライミング、ボンディング）により歯質接着性を有する。
【００１０】
従って、請求項１記載の考案にあっては、取付部を利用して歯科用矯正材料取り付け具へ固定し、型本体部内に上記複合レジンを充填して固化させることにより使用するものである。  
【００１１】
請求項２記載の考案にあっては、上記歯科用矯正材料は平面円形状のリンガルボタンであって、型本体部内部に形成された型成型部は、略逆裁頭円錐形状の基部成型部と、上記基部成型部の下端部に連設された軸成型部と、上記軸成型部よりも径大であって上記基部成型部よりも径小に形成された小円盤状係止部成型部とを有することを特徴とする。
従って、請求項２記載の考案にあっては、平面円形状であって、逆裁頭円錐台形状の基部と、上記基部に連設される軸と、上記軸に連設された小円盤状係止部を有するリンガルボタンを型成型することができる。
【００１２】
請求項３記載の考案にあっては、上記型本体部は全体円筒状に形成されていることを特徴とする。
【００１３】
請求項４記載の考案にあっては、上記歯科用矯正材料は平面方形状のブラケットであって、型本体部内部に形成された型成型部は、四方を閉塞して形成された側壁部と、側壁部の下端部において連設された底部と、側壁部の上端部において内方に向かって延設されたオーバーハング部と、底部の中央部において幅方向に沿って突設された突条部とを有することを特徴とする。
【００１４】
請求項４記載の考案にあっては、上記歯科用矯正材料は平面方形状のブラケットであって、オーバーハング部により固定部が形成され、上記側壁部及び上記底部によりワイヤー保持部が形成され、上記突条部によりワイヤー係止用溝部が形成される。
【００１５】
請求項５記載の考案にあっては、上記型本体部は全体直方体形状に形成されていることを特徴とする。
従って、請求項５記載の考案にあっては、全体直方体形状のブラケットを型成型することができる。
【００１６】
請求項６記載の考案にあっては、シリコン製であることを特徴とする。
請求項７記載の考案にあっては、透明または青色のシリコンであることを特徴とする。
【考案の効果】
【００１７】
請求項１〜７記載の考案にあっては、棒状に形成された歯科矯正材料取り付け具に装着され、ペースト状の複合レジンを充填して固化させて使用される歯科用矯正材料形成用陰型であって、歯科用矯正材料取り付け具への取付部と、上記取付部の端部に連設された型本体部からなり、取付部を利用して歯科用矯正材料取り付け具へ固定し、型本体部内にペースト状の複合レジンを充填して使用することができる。
【００１８】
従って、従来とは異なり、金属製の歯科用矯正材料を使用することが不要となるため、製造コストを低減することができ、その結果、歯科用矯正治療コストを低減することができる。
【００１９】
また、金属製の歯科用矯正材料を使用する必要がないことから、歯科用セメントを使用する必要がなく、迅速、円滑な矯正治療を行うことができる。
【００２０】
さらに、本考案にあっては、ペースト状の複合レジンを素材として歯科用矯正材料を型成型することができることから、歯の色調に適合し、従来のように金属製の歯科用矯正材料が歯の色調とは異なることから治療中において歯科用矯正材料が目立ち、審美性に欠け見栄えが悪い、という欠点を克服することができる。
【００２１】
請求項２及び３記載の考案にあっては、上記効果に加えて、平面円形状のリンガルボタンを複合レジンを素材として型成型することができる。
【００２２】
請求項４及び５記載の考案にあっては、上記効果に加えて、ブラケットを複合レジンを使用して型成型することができる。
【００２３】
請求項６記載の考案にあっては、シリコン製であることから、歯科用矯正材料形成用陰型が柔軟性に富み、その結果、離型性に優れた歯科用矯正材料形成用陰型を提供することができる。
【００２４】
請求項７記載の考案にあっては、透明または青色のシリコンであることから、複合レジンを充填した場合に青色の可視光線を照射した場合に、確実に透過して充填材料を確実に固化することが可能な歯科用矯正材料形成用陰型を提供することができる。
【図面の簡単な説明】
【００２５】
【図１】本考案に係る歯科用矯正材料形成用陰型の第一の実施の形態を示し、リンガルボタンを形成する陰型を示す斜視図である
【図２】本考案に係る歯科用矯正材料形成用陰型の第一の実施の形態を示し、リンガルボタンを形成する陰型を示す正面図である
【図３】本考案の第一実施の形態に係る歯科用矯正材料形成用陰型を用いて形成したリンガルボタンを示す側面図である。
【図４】本考案に係る歯科用矯正材料形成用陰型の第二の実施の形態を示し、ブラケットを形成する陰型を示す正面図である
【図５】本考案に係る歯科用矯正材料形成用陰型の第二の実施の形態を示し、ブラケットを形成する陰型を図４のＶ―Ｖ線断面図である。
【図６】本考案に係る歯科用矯正材料形成用陰型の第二の実施の形態を示し、ブラケットを形成する陰型を示す底面図である。
【図７】本考案の第二の実施の形態に係る歯科用矯正材料形成用陰型を使用して形成したブラケットの縦断面図である。
【図８】本考案に係る歯科用矯正材料形成用陰型を装着して矯正治療に使用するための歯科用矯正材料取り付け具の一例を示す斜視図である。
【考案を実施するための最良の形態】
【００２６】
以下、添付図面に示す実施の形態に基づき、本考案を詳細に説明する。
図１〜図７に示すように、本実施の形態に係る歯科用矯正材料形成用陰型１０は、棒状に形成された歯科矯正材料取り付け具１１に装着され、ペースト状の複合レジンを充填して固化させて使用される歯科用矯正材料形成用陰型であって、歯科用矯正材料取り付け具１１への取付部１２と、上記取付部１２の端部に連設された型本体部１３からなる。
【００２７】
図１及び図２に示すように、第一実施の形態に係る歯科用矯正材料形成用陰型１０ａは、リンガルボタンを作成するための陰型であり、上記取付部１２ａは後端部に向かって径寸法が小さくなる中実の裁頭円錐形状に形成されている。取付部１２ａの先端には本体部１３ａが連設されている。
上記型本体部１３ａは中空の円筒状に形成され、内部に型成型部１４が形成されており、歯科用矯正材料により全体略円盤状のリンガルボタンを型成型できるように構成されている。本実施の形態にあっては、歯科用矯正材料形成用陰型１０ａは透明のシリコンを素材として形成されている。
【００２８】
本実施の形態に係る歯科用矯正材料形成用陰型１０により型成型されるリンガルボタン１５は、図３に示すように、平面円盤状の基部１６と、基部１６の中心部において突設された軸部１７と、軸部１７の先端部に形成された小円盤状係止部１８とからなる。  
【００２９】
型本体部１３ａの型成型部１４の内表面形状はリンガルボタン１５の輪郭形状と同一に形成されている。即ち、型本体部１３ａの内部に形成された型成型部１４は、略逆裁頭円錐形状の基部成型部２２と、上記基部成型部２２の下端部に連設された軸成型部２３と、上記軸成型部２３よりも径大であって上記基部成型部２２よりも径小に形成された小円盤状係止部成型部２４とを有している。
【００３０】
本実施の形態に係る歯科用矯正材料形成用陰型１０は、図８に示す棒状の歯科用矯正材料取り付け具１１の先端部に着脱可能に係止固定されて使用される。
歯科用矯正材料取り付け具１１は全体棒状に形成され、把持部１９と、把持部１９の両端部に設けられた歯科用矯正材料形成用陰型１０の取付部２０，２０とにより構成されている。
取付部２０は、把持部１９から延設された軸部２０ａと、軸部２０ａの先端部において、軸部２０の軸線に対して鈍角を以て接合された取付部本体２０ｂとにより構成されている。
【００３１】
取付部本体２０ｂは全体中空円筒状に形成され、内径寸法は歯科用矯正材料形成用陰型１０ａの取付部１２ａの最大径寸法よりもやや小さく形成されており、治療時には、開口部２５から歯科用矯正材料形成用陰型１０ａの取付部１２ａを圧入して係止固定しうるように構成されている。
【００３２】
従って、取付部本体２０ｂに歯科用矯正材料形成用陰型１０ａを取付部１２ａを介して固定した場合には、歯科用矯正材料形成用陰型１０ａは歯科用矯正材料取り付け具１１の軸方向に対して所定角度傾斜した状態で固定される。
【００３３】
本実施の形態に係る歯科用矯正材料形成用陰型１０を使用して矯正治療中にリンガルボタン１５を型成型する場合には、上記のように歯科用矯正材料形成用陰型１０ａを歯科用矯正材料取り付け具１１の先端部に固定した状態で、歯科用矯正材料形成用陰型１０ａの型成型部１４内にペースト状の複合レジンを充填する。
このようにして型本体の型成型部１４内に複合レジンを充填した場合には、以下の手順により患者の歯表面に固定する。
まず、患者の歯表面に、従来のような歯科用セメントではなく、虫歯治療で利用される一般的な接着剤を塗布して歯面処理を行う。その後、歯科用矯正材料取り付け具１１を利用して歯表面に、複合レジンが充填されている型本体部１３を圧接し、この状態で青色の可視光線（波長４７０ｎｍ）を照射することにより硬化させる。
【００３４】
この場合、本実施の形態にあっては、歯科用矯正材料形成用陰型１０は透明に形成されていることから、上記青色の可視光線を透過し、複合レジンを固化させることができる。
その後、歯科用矯正材料取り付け具１１を介して歯科用矯正材料形成用陰型１０ａを撤去することにより、固化して歯表面に接着剤により固定されたリンガルボタン１５を歯表面に固定した状態で残す。
この場合、歯科用矯正材料形成用陰型１０はシリコン製であることから、柔軟性に富み、容易に型抜きを行うことが可能である。
【００３５】
従って、歯表面に接着剤により固定されたリンガルボタン１５は、歯の歯面処理（エッチング、プライミング、ボンディング）により歯質接着性を有することから、従来のように、歯科用セメントを使用することなく患者の歯の表面に固定することが可能となる。
【００３６】
その後、図３に示すように、複数の歯の表面に固定したリンガルボタン１５にエラスティック製の紐状の矯正手段をかけ回して歯の近遠心的移動、回転、臼歯部の交叉咬合の改善を行うことができる。
【００３７】
図４〜図６は本考案に係歯科用矯正材料形成用陰型１０の第二実施の形態を示す。第二実施の形態に係る歯科用矯正材料形成用陰型１０ｂにあっては、第一の実施の形態とは異なり、平面長方形状のブラケット３４を型成型しうるように構成されている。
本実施の形態に係る歯科用矯正材料形成用陰型１０ｂは、後端部に向かってやや径寸法が小さくなる中実の裁頭円錐形状に形成された取付部３１と、取付部３１の先端に連設された本体部３２とにより構成されている。
【００３８】
上記型本体部３２は中空の直方体箱状であって、内部には型成型部３３が形成されており、上記歯科用矯正材料は平面長方形状のブラケット３４を型成型できるように構成されている。本実施の形態に係る歯科用矯正材料形成用陰型１０ｂは、前記実施の形態同様に透明のシリコンを素材として形成されている。
【００３９】
ブラケット３４は、小さな幅寸法の固定部３５と、固定部３５に連設された大きな幅寸法のワイヤー保持部３６とからなり、アーチワイヤー保持部３６の表面部には中心部に幅方向に沿って溝部３７が形成されている。従って、型成型部３３はブラケット３４を型成型することができるようにブラケット３４の輪郭形状と同一の形状に形成されている。
【００４０】
即ち、型成型部３３は、四方を閉塞して形成された側壁部３７と、側壁部３７の下端部において連設された底部３８と、側壁部３７の上端部において内方に向かって延設されたオーバーハング部３９と、底部３８の中央部において幅方向に沿って突設された突条部４０とからなる。
【００４１】
従って、型成型部３３に第一の実施の形態と同様に、ペースト状の複合レジンを充填し、青色の可視光線を照射して固化させて場合には、平面長方形状のブラケット３４を型成型することができる。
この場合、オーバーハング部３９により固定部３５が形成され、側壁部３７及び底部３８によりワイヤー保持部３６が形成され、突条部４０によりワイヤー係止用溝部４１が形成される。
【００４２】
このようにしてブラケット３４が型成型された場合には、前記第一の実施の形態におけるリンガルボタン１５と同様の手順により、歯科用矯正材料取り付け具１１を使用して患者の歯に固定する。この場合、歯の歯面処理（エッチング、プライミング、ボンディング）により歯質接着性を有することから、従来のように、歯科用セメントを使用することなく患者の歯の表面に固定することができる。
そして、アーチワイヤーを溝部３７に固定することにより歯の近遠心的移動、回転、臼歯部の交叉咬合の改善を行うことができる。
【００４３】
なお、上記各実施の形態にあっては、歯科用矯正材料形成用陰型１０，３０が透明なシリコン製である場合を例に説明したが上記各実施の形態に限定されず、青色のシリコン製であってもよい。また、歯科用矯正材料形成用陰型１０、３０の素材に関しては、型成型に耐えられる合成を有すると共に所定の柔軟性を有し容易に型抜きができる素材であればシリコンに限定されない。
【産業上の利用可能性】
【００４４】
本考案は広く歯科用矯正材料形成用陰型に適用することがえきることから、産業上の利用可能性を有している。
【符号の説明】
【００４５】
１０  歯科用矯正材料形成用陰型
１０ａ  歯科用矯正材料形成用陰型
１０ｂ  歯科用矯正材料形成用陰型
１１  歯科用矯正材料取付具
１２  取付部
１２ａ  取付部
１３  本体部
１３ａ  本体部
１４  型本体部
１５  リンガルボタン
１６  基部
１７  軸部
１８  小円盤状係止部
１９  把持部 
２０  取付部
２０ａ  軸部
２０ｂ  取付部本体  
２１  開口部
２２  基部成型部
２３  軸成型部
２４  小円盤状係止部成型部
３１  取付部
３２  本体部
３３  型成型部
３４  ブラケット
３５  固定部
３６  ワイヤー保持部
３７  側壁部
３８  底部
３９  オーバーハング部
４０  突条部
４１  ワイヤー係止用溝部
【図１】
0003192509.tif 000003
【図２】
0003192509.tif 000004
【図３】
0003192509.tif 000005
【図４】
0003192509.tif 000006
【図５】
0003192509.tif 000007
【図６】
0003192509.tif 000008
【図７】
0003192509.tif 000009
【図８】
0003192509.tif 000010
【手続補正書】
【提出日】平成26年6月11日(2014.6.11)
【手続補正１】
【補正対象書類名】実用新案登録請求の範囲
【補正対象項目名】請求項５
【補正方法】変更
【補正の内容】
【請求項５】
上記型本体部は全体直方体形状に形成されていることを特徴とする請求項４記載の歯科用矯正材料形成用陰型。